(57)【要約】【課題】成形サイクルをモニタリングする際、煩雑な各種の数値設定を行うことなく、諸条件下での最適な表示を行えるようにする。【解決手段】縦軸／時間軸スケールパターン生成部１６には、予め射出速度の実測データ、射出圧力の実測データ、可塑化回転速度の実測データを組み合わせた複数の表示モードが格納される。この表示モードは、それぞれの各測定項目における実測データのゼロ位置及び倍率が最適化され、オペレータがその表示モードを選択することにより、オペレータが望む各実測データ２１〜２５の組み合わせがワンタッチで切り換え可能である。【選択図】図１
2008055698.tif 000002
【特許請求の範囲】
【請求項１】
射出成形機における成形サイクルの成形動作状態を測定して実測値を得る複数種のセンサと、この各センサで測定された実測値を記憶する実測値記憶手段と、設定された各運転条件値と各センサからの計測情報とに基づきマシンの各部を駆動制御するマイクロコンピュータと、前記センサで測定された実測値に基づいて表示手段に表示するための処理を行う表示処理部とを具備し、オペレータが選択した複数の測定項目の実測データをグラフィク表示させる射出成形機において、予め前記測定項目群の中から特定の測定項目を組合せた複数の表示モードを選択可能とし、かつ、その各表示モード毎に最適化した各測定項目の倍率及びゼロ位置を記憶し、オペレータが選択した表示モードに応じた測定項目の実測データを共通の時間軸に沿ってグラフィク表示させたことを特徴とする運転データの表示装置を備えた射出成形機。
【請求項２】
少なくとも射出速度、射出圧力、可塑化回転速度、型開閉速度、エジェクト突出し／戻し速度を表示可能な測定項目として、その測定項目の組合せとそれらのゼロ位置及び倍率をデータとして格納し、オペレータが選択した表示モードに応じて格納された前記データを呼び出して前記表示手段に表示してなることを特徴とする請求項１記載の運転データの表示装置を備えた射出成形機。
【請求項３】
前記各表示モードは、前記射出成形機の１サイクルの時間軸に沿って測定項目の実測データを表示する以外、任意の成形サイクルの時間軸に沿った表示が選択可能であることを特徴とする請求項１又は２記載の運転データの表示装置を備えた射出成形機。
【請求項４】
前記表示モードとして、射出成形機の成形サイクルにおいて重要な主要な測定項目群と比較的補助的な測定項目群とを分けて表示し、主要な測定項目群を最大スケールの倍率で表示し、補助測定項目群は主要測定項目群より小さいスケールの倍率で表示する表示モードを含むことを特徴とする請求項１〜３の何れか１記載の運転データの表示装置を備えた射出成形機。
【発明の詳細な説明】
【技術分野】
【０００１】
本発明は運転データの表示装置を備えた射出成形機に係り、特に、連続運転中の運転データを取り込んで測定された実測値をグラフィク表示してモニタリングする運転データの表示装置を備えた射出成形機に関するものである。
【背景技術】
【０００２】
近年、マイクロコンピュータ（以下、単にマイコンと称す）制御の射出成形機においては、自動成形運転のための成形運転条件を設定または確認するための自動成形運転中の多数の計測項目の実測データを測定し、その実測値を表示するためのカラーＣＲＴディスプレイ、カラーＬＣＤディスプレイ等の表示装置を具備しており、この表示装置で各種の実測データを表示することによって、成形状態の監視、及び、成形品の良否判別等に利用している。
【０００３】
例えば、特許文献１には、金型温度、充填時間、クッション量等の各種センサから得られたデータを時間軸に沿って折れ線グラフ（トレンドグラフ）で表示するとともに、成形条件変更の区別を色で表示した棒グラフを表示するようにした射出成形機のモニタリング装置が開示されている。
【０００４】
しかし、特許文献１においては、例えば金型温度、充填時間、クッション量が共通の時間軸に沿って表示されるものの、その折れ線グラフ（トレンドグラフ）がそれぞれ独立して上下に平行した状態で表示されることから、より多くの実測データを表示するためには、広い表示領域が必要であり、また、より詳細な実測データを得るために拡大表示する場合などにおいても不利である。
【０００５】
そこで、本願出願人は、オペレータの指示によりマイコンは、取り込んだ実測データを変換処理して、マシンに付設された表示装置に、射出速度、射出圧力、可塑化回転速度、型開閉速度、エジェクト突出し／戻し速度などの、実測された測定項目中の所望複数項目の実測データを、１サイクル時間軸に沿って併記してグラフィク表示させる射出成形機における運転データの表示方法を特許文献２で提案している。
【０００６】
【特許文献１】特開２００１−２９３７６１号公報
【特許文献２】特許第２７４７１３８号公報
【発明の開示】
【発明が解決しようとする課題】
【０００７】
上記特許文献２で提案した射出成形機における運転データの表示方法においては、自動運転時における予め設定された測定項目の総べての実測データを、連続する所定回数のショットにわたって取り込み、これを所定記憶エリアに書き替え可能に格納することにより、オペレータが表示させる実測データ項目を複数項目だけ選択すると、マイコン内の表示処理部は、予め定められた画像生成プログラムに基づき、所望複数項目の実測データを、１サイクル時間軸に沿って併記した形で作成して、これをマシンのカラーＣＲＴディスプレイ等の表示装置に表示することが可能である。
【０００８】
ところで、特許文献２で示す運転データの表示方法においては、オペレータが指定可能な測定項目は、射出速度、射出圧力、可塑化回転速度、型開閉速度、エジェクト突出し／戻し速度であり、オペレータが指定した測定項目を表示することができるが、その表示により成形サイクルをモニタリングする場合、射出速度、射出圧力、可塑化回転速度、型開閉速度、エジェクト突出し／戻し速度の全てを表示させれば成形サイクルを全体的に確認するには、都合が良い。しかし、成形時において、特に重要な表示項目は、射出速度、射出圧力、可塑化回転速度の３つの測定項目であり、その他は、これらの主要測定項目に比べ重要度は低い。したがって、主要な射出速度、射出圧力、可塑化回転速度の３つの測定項目と、補助的な型開閉速度、エジェクト突出し／戻し速度とを分けてグループ化（組み合わせ）し、それぞれ分けて上下に離して表示し、さらに、主要測定項目と補助測定項目との表示倍率を変えれば、より測定項目の実測値の読み取りが容易となる。すなわち、主要測定項目はより詳細に拡大表示し、主要測定項目の数値を読み取るのに都合が良い。
【０００９】
しかし、特許文献２で示す運転データの表示方法においては、オペレータが測定項目を指定することができるが、前述したように、複数ある測定項目をより詳細にグループ分けしたり、そのグループ化した測定項目の表示倍率を変えるとなると、各測定項目のゼロ位置をグループ毎に揃えたり、グループ毎の倍率を個別に調整するなどの煩雑な作業が必要となる。さらに、ある特定の測定項目の表示倍率の変える際、その最大値あるいは最小値が表示装置の表示領域を超えて表示し切れないといった不都合が生じる虞れもあり、このような測定項目のゼロ位置や倍率の調整には熟練を要する作業であった。
【００１０】
本発明は上記課題を鑑みてなされたものであり、成形サイクルをモニタリングする際、煩雑な各種の数値設定を行うことなく、諸条件下での最適な表示を行うことができる運転データの表示装置を備えた射出成形機を提供することを目的とする。
【課題を解決するための手段】
【００１１】
請求項１に係る運転データの表示装置を備えた射出成形機は、射出成形機における成形サイクルの成形動作状態を測定して実測値を得る複数種のセンサと、この各センサで測定された実測値を記憶する実測値記憶手段と、設定された各運転条件値と各センサからの計測情報とに基づきマシンの各部を駆動制御するマイクロコンピュータと、前記センサで測定された実測値に基づいて表示手段に表示するための処理を行う表示処理部とを具備し、オペレータが選択した複数の測定項目の実測データをグラフィク表示させる射出成形機において、予め前記測定項目群の中から特定の測定項目を組合せた複数の表示モードを選択可能とし、かつ、その各表示モード毎に最適化した各測定項目の倍率及びゼロ位置を記憶し、オペレータが選択した表示モードに応じた測定項目の実測データを共通の時間軸に沿ってグラフィク表示させたことを特徴とする。
【００１２】
請求項１の構成によれば、マシン全体の制御を司るマイコンは、自動運転時における予め設定された測定項目の総べての実測データを、連続する所定回数のショットにわたって取り込み、これを所定記憶エリアに書き替え可能に格納する。また、予め測定項目群の中から特定の測定項目を組合せた複数種の表示モードと、各表示モード毎に最適化した各測定項目の倍率及びゼロ位置を所定記憶エリアに格納する。そして、オペレータが任意の表示モードを選択すると、マイコン内の表示処理部は、予め定められた画像生成プログラムに基づき、所望複数項目の実測データを、共通の時間軸に沿って併記した形で作成して、これをマシンのカラーＣＲＴディスプレイ等の表示装置に表示させる。
【００１３】
請求項２に係る運転データの表示装置を備えた射出成形機は、少なくとも射出速度、射出圧力、可塑化回転速度、型開閉速度、エジェクト突出し／戻し速度を表示可能な測定項目として、その測定項目の組合せとそれらのゼロ位置及び倍率をデータとして格納し、オペレータが選択した表示モードに応じて格納された前記データを呼び出して前記表示手段に表示してなることを特徴とする。
【００１４】
請求項２の構成によれば、射出速度、射出圧力、可塑化回転速度、型開閉速度、エジェクト突出し／戻し速度の実測データを取り込み、オペレータが選択した表示モードに応じてそれらの測定項目を組合せた実測データが共通の時間軸に沿って表示され、射出成形機の異常発生の有無、成形条件などを簡単かつ迅速に把握することが可能となる。
【００１５】
請求項３に係る運転データの表示装置を備えた射出成形機は、前記各表示モードは、前記射出成形機の１サイクルの時間軸に沿って測定項目の実測データを表示する以外、任意の成形サイクルの時間軸に沿った表示が選択可能であることを特徴とする。
【００１６】
請求項３によれば、各測定項目の実測データを１サイクルの時間軸に沿って表示すれば射出成形機のサイクル全体を把握するのに都合がよい。また、任意の成形サイクル、例えば、射出工程時に区切って各測定項目の実測データを詳細に表示することも可能となる。
【００１７】
請求項４に係る運転データの表示装置を備えた射出成形機は、前記表示モードとして、射出成形機の成形サイクルにおいて重要な主要な測定項目群と比較的補助的な測定項目群とを分けて表示し、主要な測定項目群を最大スケールの倍率で表示し、補助測定項目群は主要測定項目群より小さいスケールの倍率で表示する表示モードを含むことを特徴とする。
【００１８】
請求項４の構成によれば、射出成形機のサイクルにとって重要な主要測定項目群と比較的補助的な測定項目群とを分けて表示することで、主要測定項目群の実測データの読み取りが容易である。
【発明の効果】
【００１９】
本発明によれば、予め、各測定項目の実測データを組み合わせた複数の表示モードを設定し、これらの表示モード毎に各測定項目のゼロ位置及び倍率を最適化したデータが格納され、オペレータがその表示モードを選択することにより、オペレータが望む各実測データの組み合わせや、それらのゼロ位置及び時間軸の設定がワンタッチで切り換え可能であるから、オペレータが望む表示モードを選択することで、その表示モードに応じた多様な表示モードをワンタッチで切り換え表示することが可能であり、しかも、各表示モードは、各実測データの組み合わせやゼロ位置の設定が自動化され、表示モードを変える毎に倍率やゼロ位置の調整を行う必要がない。また、時間軸を設定すれば成形サイクル中の任意の工程も簡単に切り換えることができ、監視・識別性や条件設定性に優れた使い勝手の良い運転データの表示が可能となる。
【発明を実施するための最良の形態】
【００２０】
以下、本発明を実施するための最良の形態として図１〜図１３によって説明する。図１は本実施例に係る射出成形機の制御系統の簡略化したブロック図である。図１において、１はマシン（射出成形機）全体の動作制御や表示制御などを司るマイコン、２はマシンの各部に備えられた多数のセンサで構成されるセンサ群、３はマシンの各部に配設された多数の駆動源を駆動制御するための多数のドライバ回路で構成されたドライバ群、４はマシンの前面部に配設されたキー入力装置、５は上記キー入力装置に隣接して配設された例えばカラーＣＲＴディスプレイ、カラーＬＣＤ等よりなる表示装置である。
【００２１】
図１の前記マイコン１は、可塑化動作、射出動作、型開閉動作、エジェクト動作等の成形行程全体の制御や、実測データの演算・格納処理、良品／不良品の判定処理、異常判定処理等の演算・判定処理、あるいは前記表示装置５の出力画像の表示制御処理等々の各種処理を実行する。このマイコン１は、実際には各種Ｉ／Ｏインターフェイス、ＲＯＭ、ＲＡＭ、ＣＰＵ等を具備したもので構成され、予め作成された各種プログラムにより各種処理を実行するも、本実施例においては、成形条件設定記憶部１０、成形プロセス制御部１１、実測値記憶部１２、表示処理部１３等を備えたものとして、以下の説明を行う。なお、表示処理部１３には、データ変換処理部１４、グラフスケール生成部１５、縦軸／時間軸スケールパターン生成部１６、表示用固定データ格納部１７、表示画像データ生成部１８等が設けられている。
【００２２】
上記成形条件設定記憶部１０には、キー入力装置４によって入力された各種運転条件値が、書き替え可能な形で記憶されている。この運転条件値としては、例えば、増締力、電力値、可塑化行程時のスクリュー位置とスクリュー回転速度，スクリュー後退速度，及び背圧との関係、サックバック制御条件、射出開始点（位置）から保圧切替点（位置）までの射出速度条件並びに射出圧力条件、保圧切替時点から保圧終了時点までの２次射出圧力（保圧圧力）条件、各部のバンドヒータ温度、型閉じ（型締め）ストロークと速度制御条件並びに型締力、型開きストロークと速度制御条件、エジェクト制御条件、製品自動取り出し機の制御条件等々が挙げられる。
【００２３】
前記成形プロセス制御部１１は、予め作成された成形プロセス制御プログラムと、成形条件設定記憶部１０に格納された設定条件値とに基づき、マシンの各部に配設された前記センサ群２（位置センサ、圧力センサ、温度センサ等々）からの計測情報及び自身に内蔵されたクロックからの計時情報を参照しつつ、前記ドライバ群３（モータドライバ、油圧シリンダドライバ、ヒータドライバ等々）を介して対応する駆動源を駆動制御し、一連の成形行程を実行させる。なお、前記センサ群３に含まれるセンサを具体的に挙げると、ＡＣＣ（アキュームレータ）チャージ圧力検出センサ、スクリューストローク検出センサ、スクリュー回転速度検出センサ、射出圧力及び背圧検出センサ、型開閉ストローク検出センサ、型締圧力検出センサ、型内圧検出センサ、エジェクト突出し／戻りストローク検出センサ、エジェクトシリンダ圧力検出センサ、製品自動取り出し機の動作確認センサ、各部の温度センサ、電力値検出センサ等が挙げられる。
【００２４】
前記実測値記憶部１２には、連続自動運転時における予め設定された測定項目の総べての実測データが、連続する所定回数のショットにわたって取り込まれる。取り込まれる測定項目としては、（１）時間監視項目、（２）位置監視項目、（３）回転数監視項目、（４）速度監視項目、（５）圧力監視項目等が挙げられ、前記した成形運転条件設定項目の重要項目がほぼオーバーラップするようになっている。なお、速度実測値は、前記した各ストローク（位置）検出センサからの計測情報とクロック情報とに基づき、前記マイコン１内の図示せぬ演算処理部によってリアルタイムに算出され、これが実測値記憶部１２の所定エリアに格納される。
【００２５】
前記表示処理部１３は、キー入力装置４によるオペレータが所望する表示モードの表示画像の呼び出し指令によって、予め作成された表示画像作成・制御プログラムに基づき、指定された表示モードの表示画像データを作成する。表示モードは、予めマシンの成形工程などによって重要な測定値の読み取りやすいよう予め設定している。すなわち、図２に示すように、フルスケールモードとして射出速度の実測データ２１、射出圧力の実測データ２２、可塑化回転速度の実測データ２３、型開閉速度の実測データ２４、エジェクト突出し／戻し速度の実測データ２５が全てゼロ位置を揃えた状態で組み合わせて表示される。このフルスケールモードではマシン全体のデータを確認するのに適している。なお、図２の表示画面において、横軸は時間を示し、図示左側上部には、各データ２１〜２５の正の数値が、左側下部には各データ２１〜２５の負の数値が表示される。また、射出速度、射出圧力、可塑化回転速度、型開閉速度、エジェクト突出し／戻し速度の実測データに関するグラフ特性線はそれぞれ異なるカラーで表示され、且つ、このカラー分けに応じてそれぞれの数値の単位や文字が同一のカラーで表示されるようになっており、オペレータには一目でどのグラフ特性線が何を表わしているのかを認知できるようになっている。なお、図２においては、便宜上、線種に分け、射出速度の実測データ２１を一点鎖線、射出圧力の実測データ２２を破線、可塑化回転速度の実測データ２３を三点鎖線、型開閉速度の実測データ２４を二点鎖線、エジェクト突出し／戻し速度の実測データ２５を実線で示している。（なお、線種の分けは後述する図３〜図１１においても同様である）。
【００２６】
図３では、スタンダードモードとして、マシンの成形工程にもって重要な射出速度の実測データ２１、射出圧力の実測データ２２、可塑化回転速度の実測データ２３を組み合わせ最大スケースで表示するとともに、その下部に型開閉速度の実測データ２４、エジェクト突出し／戻し速度の実測データ２５を補助的に最小スケールで表示している。このように、射出速度の実測データ２１、射出圧力の実測データ２２、可塑化回転速度の実測データ２３を最大スケールで表示することで射出速度の実測データ２１、射出圧力の実測データ２２、可塑化回転速度の実測データ２３の数値が読み取り易く、サイクル工程を把握するのに都合がよい。
【００２７】
図４は、スタンダード２のモードとして、前述したスタンダードモードと同様、重要な射出速度の実測データ２１、射出圧力の実測データ２２、可塑化回転速度の実測データ２３と補助的な型開閉速度の実測データ２４、エジェクト突出し／戻し速度の実測データ２５とを分けて表示し、かつ、それぞれを同一スケールで表示する。スタンダード２のモードでは、主要な射出速度の実測データ２１、射出圧力の実測データ２２、可塑化回転速度の実測データ２３は図３に示すスタンダードモードより小さいスケールで表示することで、正／負のデータを含む場合に適した表示モードである。すなわち、グループ化した主要な射出速度の実測データ２１、射出圧力の実測データ２２、可塑化回転速度の実測データ２３と補助的な型開閉速度の実測データ２４、エジェクト突出し／戻し速度の実測データ２５との間隔が広くなる。
【００２８】
図５は、セパレートモードとして、射出速度の実測データ２１、射出圧力の実測データ２２とを組み合わせ、可塑化回転速度の実測データ２３と型開閉速度の実測データ２４とを組み合わせて上下に分けて表示し、さらに、表示画面の下部に補助的にエジェクト突出し／戻し速度の実測データ２５を表示し、これらの実測データ２１〜２５を適度のスケールで表示する。
【００２９】
図６はセパレート２のモードとして図５のセパレートモードより、グループ化した射出速度の実測データ２１、射出圧力の実測データ２２と、補助的な可塑化回転速度の実測データ２３と型開閉速度の実測データ２４のスケールを小さく表示させたモードであり、正／負のデータを含む場合に適している。
【００３０】
図７はクラシックモードであり、射出速度の実測データ２１、射出圧力の実測データ２２、可塑化回転速度の実測データ２３、型開閉速度の実測データ２４、エジェクト突出し／戻し速度の実測データ２５をそれぞれ個別に分けて表示させるモードであり、全体のデータの確認に適している。
【００３１】
図８はクラシック２のモードであり、図７のクラシックモードにおける射出速度の実測データ２１、射出圧力の実測データ２２、可塑化回転速度の実測データ２３、型開閉速度の実測データ２４、エジェクト突出し／戻し速度の実測データ２５の縦軸のスケールを倍にしたモードである。また、図９はクラシック３のモードであり、縦軸のスケールが図７のクラシックモードと図８のクラシック２のモードとの中間である。
【００３２】
図１０は、ディスク成形機用モードであり、射出速度の実測データ２１、射出圧力の実測データ２２、可塑化回転速度の実測データ２３とダイプレート位置２６がそれぞれゼロ位置を揃えるように表示され、かつ、ダイプレート位置２６は−１〜４ｍｍで固定されている。
【００３３】
また、各表示モードにおいて、時間軸を設定することができる。時間軸は、全成形工程を表すフルスケール（１／１）、１／２前半、１／２後半、１／４の１番目、１／４の２番目、１／４の３番目、１／４の４番目、１／８の１番目、１／８の２番目、１／８の３番目、１／８の３番目、１／８の４番目、１／８の５番目、１／８の６番目、１／８の７番目、１／８の８番目の中で任意に選択可能であり、図１１では、スタンダードモードにおいて、時間軸を射出工程の１／４の１番目の工程に設定した場合を示しており、時間軸を射出工程の１／４の１番目に設定することで、射出工程において最も重要な射出・保圧・計量工程を把握することができる。
【００３４】
これらの表示モードや時間軸の設定は、図１２、図１３の入力画面で行うものであり、前記キー入力装置４中の図示せぬキーによって、図１２の入力画面において、図２〜図１１に示した表示モードに切り換えることによって各実測データ２１〜２６の縦軸を選択し、図１３の入力画面において横軸の時間軸を設定する。また「スケールモード」のファンクションキーでの選択状態が「＝自動」である旨表示されており、この状態ではマイコン１は実測グラフィックデータを最新の成形１サイクル分のみを線描し、また、グラフのスケールをマイコン１が自動設定したもので作成してある。そして、この状態で「１回重ね」に対応するファンクションキーをプッシュすると、マイコン１は重ね書きモードとなり、実測グラフックデータが最新成形サイクルを含む複数成形サイクルにわたって重ね書きされて表示される。すなわち、縦軸／時間軸スケールパターン生成部１６には前述した複数あるフルスケール、スタンダード、スタンダード２、スタンダード３、セパレート、セパレート２、クラシック、クラシック２、クラシック３、ディスク成形機用モードにおいて最適化されたゼロ位置と倍率の組み合わせが格納され、オペレータが任意の表示モードと時間軸を選択すると、表示処理部１３の前記データ変換処理部１４は、表示モードに応じて前記成形条件設定記憶部１０や実測値記憶部１２に格納された情報から当該表示モード画像の表示に用いるための各実測データ２１〜２６を抽出すると共に、これら各実測データ２１〜２６の組み合わせ及びこれら各実測データ２１〜２６のゼロ位置及びオペレータが選択した時間軸に対応する表示モードを縦軸／時間軸スケールパターン生成部１６から抽出する。例えば、指定された表示モードがスタンダードモードである場合、射出速度の実測データ２１、射出圧力の実測データ２２、可塑化回転速度の実測データ２３を組み合わせ最大スケールで表示し、その下部に型開閉速度の実測データ２４、エジェクト突出し／戻し速度の実測データ２５を最小スケールとなるように、数値画像データに変換処理等する。このように、縦軸／時間軸スケールパターン生成部１６からオペレータが選択した表示モードを呼び出し、グラフスケール生成部１５により、予め作成されたグラフスケール（グラフ目盛）生成プログラムによって、所定倍率のグラフ目盛画像データと目盛数値画像データとを生成する。
【００３５】
これら、データ変換処理部１４、グラフスケール生成部１５及び縦軸／時間軸スケールパターン生成部１６の生成処理データは、前記表示画像データ生成部１８に取り込まれ、指定された表示モードがグラフィク画像である場合には、所定倍率のグラフ目盛画像データ上の所定位置に、このグラフ目盛に応じた拡大／縮小率に変換処理して取り込まれた線描化処理したグラフィク画像データが重ね書きして合成処理される。また、前記表示用固定データ格納部１７に予め作成されて格納されている多数のモード画像用の固定データたる文字，記号，グラフィック図形，罫線データ等々から、当該表示モード画像の表示に用いるためのデータが抽出されて、これが表示画像データ生成部１８に取り込まれ、同じく表示用の画像データとして合成される。これによって、表示画像データ生成部１８には、指定されたグラフィク表示画像用のグラフ目盛，目盛数字，線描グラフ，モード表示文字，単位記号，項目表示文字，所定データ数値等が所定配置・合成され、且つカラー分け情報等が付加された画像データが作成され、これが書き換え可能に保持される。
【００３６】
前記表示画像データ生成部１８の画像データは、図示せぬフレームバッファに転送されて一時記憶され、表示処理部１３の指令によってこのフレームバッファの出力が前記表示装置５に送出されて、表示装置５の表示画面上には所定モードの画像データが表示されることになる。
【００３７】
以上のように、本実施例においては、予め、縦軸／時間軸スケールパターン生成部１６には、射出速度の実測データ２１、射出圧力の実測データ２２、可塑化回転速度の実測データ２３、型開閉速度の実測データ２４、エジェクト突出し／戻し速度の実測データ２５を組み合わせた複数の表示モードと、これらの表示モードにおける各測定項目のゼロ位置及び倍率を最適化したデータが格納され、オペレータがその表示モードを選択することにより、オペレータが望む各実測データ２１〜２５の組み合わせと、それらのゼロ位置及び時間軸の設定がワンタッチで切り換え可能である。すなわち、図２〜図１０に示す表示モードからオペレータが望む表示モードを選択することで、その表示モードに応じた多様な表示モードの表示が可能であり、しかも、各表示モードは、各実測データ２１〜２５は、組み合わせやゼロ位置及び時間軸の設定が自動化され、表示モードを変える毎に倍率やゼロ位置の調整を行う必要がない。また、時間軸を設定すれば成形サイクル中の任意の工程も簡単に切り換えることができ、監視・識別性や条件設定性に優れた使い勝手の良い運転データの表示が可能となり、その価値は多大である。
【００３８】
以上、本発明の実施例について詳述したが本発明は前記実施例に限定されるものではなく、本発明の要旨の範囲内で種々の変形実施が可能である
【図面の簡単な説明】
【００３９】
【図１】本発明の一実施例に係る射出成形機の制御系統の簡略化したブロック図である。
【図２】同上、フルスケールモードを表示した状態を示す説明図である。
【図３】同上、スタンダードモードを表示した状態を示す説明図である。
【図４】同上、スタンダード２のモードを表示した状態を示す説明図である。
【図５】同上、セパレートモードを表示した状態を示す説明図である。
【図６】同上、セパレート２のモードを表示した状態を示す説明図である。
【図７】同上、クラシックモードを表示した状態を示す説明図である。
【図８】同上、クラシック２のモードを表示した状態を示す説明図である。
【図９】同上、クラシック３のモードを表示した状態を示す説明図である。
【図１０】同上、ディスク成形機用モードを表示した状態を示す説明図である。
【図１１】同上、スタンダードモードにおいて、時間軸を射出工程に設定した状態を示す説明図である。
【図１２】同上、表示モードの選択画面を示す参考図である。
【図１３】同上、時間軸の選択画面を示す参考図である。
【符号の説明】
【００４０】
１  マイコン（マイクロコンピュータ）
２  センサ群
３  ドライバ群
４  キー入力装置
５  表示装置
１０  成形条件設定記憶部
１１  成形プロセス制御部
１２  実測値記憶部
１３  表示処理部
１４  データ変換処理部
１５  グラフスケール生成部
１６  縦軸／時間軸スケールパターン生成部
１７  表示用固定データ格納部
１８  表示画像データ生成部
【図１】
2008055698.tif 000003
【図２】
2008055698.tif 000004
【図３】
2008055698.tif 000005
【図４】
2008055698.tif 000006
【図５】
2008055698.tif 000007
【図６】
2008055698.tif 000008
【図７】
2008055698.tif 000009
【図８】
2008055698.tif 000010
【図９】
2008055698.tif 000011
【図１０】
2008055698.tif 000012
【図１１】
2008055698.tif 000013
【図１２】
2008055698.tif 000014
【図１３】
2008055698.tif 000015